(57)【要約】【課題】ＩＣチップやアンテナを損傷させることなく、所定方向に沿って搬送されるＩＣロールラベルの各ＩＣラベルを所望の通信距離で適正に通信検査することのできる通信検査装置。【解決手段】ＩＣロールラベル（１０）の各ＩＣラベルを所定方向に沿って搬送するための搬送部（１）と、所定方向に沿って搬送される各ＩＣラベルを所定位置において順次通信検査するための通信検査部（２）と、順次通信検査されるＩＣラベルを所定位置においてほぼ平坦に保持するための保持部（３）とを備えている。保持部は、所定方向に間隔を隔てて配置されてＩＣロールラベルの上側面に当接する一対の遊動ローラー（３ａ，３ｂ）と、この一対の遊動ローラーに対向した位置においてＩＣロールラベルの下側面に当接して支持する支持部（３ｃ，３ｄ）とを有する。【選択図】  図１
2004286566.tif 000002
【特許請求の範囲】
【請求項１】
ＩＣロールラベルの各ＩＣラベルを所定方向に沿って搬送するための搬送部と、
前記所定方向に沿って搬送される各ＩＣラベルを所定位置において順次通信検査するための通信検査部と、
順次通信検査されるＩＣラベルを前記所定位置においてほぼ平坦に保持するための保持部とを備え、
前記保持部は、前記所定方向に間隔を隔てて配置されて前記ＩＣロールラベルの上側面に当接する一対の遊動ローラーと、該一対の遊動ローラーに対向した位置において前記ＩＣロールラベルの下側面に当接して支持する支持部とを有することを特徴とする通信検査装置。
【請求項２】
前記一対の遊動ローラーは鉛直方向に沿って微動可能に支持されていることを特徴とする請求項１に記載の通信検査装置。
【請求項３】
前記一対の遊動ローラーの間隔は各ＩＣラベルの前記所定方向に沿った長さに応じて設定されていることを特徴とする請求項１または２に記載の通信検査装置。
【請求項４】
前記通信検査部は、前記所定位置において前記ＩＣロールラベルの下方または上方に設けられたリーダー・ライターを有し、
前記支持部は、一方の遊動ローラーに対向した位置において前記ＩＣロールラベルの下側面に当接して支持する第１支持部と、他方の遊動ローラーに対向した位置において前記ＩＣロールラベルの下側面に当接して支持する第２支持部とを有することを特徴とする請求項１乃至３のいずれか１項に記載の通信検査装置。
【発明の詳細な説明】
【０００１】
【発明の属する技術分野】
本発明は、ＩＣロールラベルの通信検査装置に関するものである。
【０００２】
【従来の技術】
たとえば細長く延びた剥離紙に多数のＩＣラベルをほぼ等間隔に貼付してロール状に構成されたＩＣロールラベルが知られている。ＩＣラベルは、ＩＣチップ（ＩＣモジュール）とアンテナとを備えた平板状のＲＦ−ＩＤメディアである。
【０００３】
ＩＣラベルの通信検査では、通信が不可能な場合や通信距離が不足している場合に不良品と判断される。ちなみに、アンテナまたはＩＣチップが不良であるとき、あるいはアンテナとＩＣチップとの接続が不良であるときに、ＩＣラベルが通信不可になる。また、製造誤差等によりアンテナに所要の特性を確保することができないとき、ＩＣラベルの通信距離が不足する。
【０００４】
図４は、ＩＣロールラベルの通信検査に関する従来技術を説明する図である。従来技術では、図４に示すように、ＩＣロールラベル４１を巻き解きながら各ＩＣラベル（不図示）を矢印４２で示す方向に沿って搬送する。そして、所定位置に設置されたリーダー・ライター４３を用いて、その対向位置を通過する各ＩＣラベルを順次通信検査する。
【０００５】
【発明が解決しようとする課題】
ＩＣロールラベルの各ＩＣラベルを所定方向に沿って搬送する場合、たとえばプレッシャーローラーを用いてＩＣロールラベルにテンションを付与すると、プレッシャーローラーからの圧力によりＩＣラベルのＩＣチップやアンテナが損傷する可能性がある。そこで、ＩＣロールラベルの通信検査に際して、ＩＣロールラベルの各ＩＣラベルをテンションフリーの状態で搬送することが求められる。
【０００６】
しかしながら、ＩＣロールラベルの各ＩＣラベルをテンションフリーの状態で搬送すると、ＩＣロールラベルが長時間に亘ってロール状に巻かれていた影響により、各ＩＣラベルが図４に示すように湾曲した状態で搬送される。その結果、所望の通信距離Ｌ０とは異なる通信距離Ｌ１で各ＩＣラベルを検査することになり、適正な通信検査を行うことができないという不都合があった。
【０００７】
本発明は、前述の課題に鑑みてなされたものであり、ＩＣチップやアンテナを損傷させることなく、所定方向に沿って搬送されるＩＣロールラベルの各ＩＣラベルを所望の通信距離で適正に通信検査することのできる通信検査装置を提供することを目的とする。
【０００８】
【課題を解決するための手段】
前記課題を解決するために、本発明では、ＩＣロールラベルの各ＩＣラベルを所定方向に沿って搬送するための搬送部と、
前記所定方向に沿って搬送される各ＩＣラベルを所定位置において順次通信検査するための通信検査部と、
順次通信検査されるＩＣラベルを前記所定位置においてほぼ平坦に保持するための保持部とを備え、
前記保持部は、前記所定方向に間隔を隔てて配置されて前記ＩＣロールラベルの上側面に当接する一対の遊動ローラーと、該一対の遊動ローラーに対向した位置において前記ＩＣロールラベルの下側面に当接して支持する支持部とを有することを特徴とする通信検査装置を提供する。
【０００９】
本発明の好ましい態様によれば、前記一対の遊動ローラーは鉛直方向に沿って微動可能に支持されている。また、前記一対の遊動ローラーの間隔は各ＩＣラベルの前記所定方向に沿った長さに応じて設定されていることが好ましい。また、前記通信検査部は、前記所定位置において前記ＩＣロールラベルの下方または上方に設けられたリーダー・ライターを有し、前記支持部は、一方の遊動ローラーに対向した位置において前記ＩＣロールラベルの下側面に当接して支持する第１支持部と、他方の遊動ローラーに対向した位置において前記ＩＣロールラベルの下側面に当接して支持する第２支持部とを有することが好ましい。
【００１０】
【発明の実施の形態】
本発明の実施形態を、添付図面に基づいて説明する。
図１は、本発明の実施形態にかかる通信検査装置の全体構成を概略的に示す図である。また、図２は、本実施形態にかかる通信検査装置の要部構成を概略的に示す図である。さらに、図３は、本実施形態の処理対象であるＩＣロールラベルの構成を概略的に示す図である。
【００１１】
まず、図３を参照すると、本実施形態の処理対象であるＩＣロールラベル１０は、一方向に沿った細長く延びた剥離紙（剥離シート）１１に多数のＩＣラベル１２をほぼ等間隔に貼付してロール状に構成されている。各ＩＣラベル１２は、情報記憶部（メモリ）を有するＩＣモジュール（またはＩＣチップ）１２ｂと、このＩＣモジュール１２ｂに接続されて非接触方式の通信（すなわちデータの送受信）を行うためのアンテナ１２ｃとを備えている。ＩＣモジュール１２ｂとアンテナ１２ｃとはＩＣインレットの形態で基材１２ａ上に設けられている。
【００１２】
図１を参照すると、本実施形態の装置は、処理すべきＩＣロールラベル１０の各ＩＣラベル（図１では不図示）を矢印Ｆ１で示す方向に沿って搬送するための搬送部として、巻取りローラー１を備えている。巻取りローラー１は、ＩＣチップやアンテナの損傷を避けるために、ＩＣロールラベル１０の各ＩＣラベルをほぼテンションフリーの状態で搬送するように回転駆動される。なお、巻取りローラー１と同期をとって、ＩＣロールラベル１０側の送り出しローラー（不図示）を同時に回転駆動させることにより、より確実にテンションフリーの状態を実現することができる。
【００１３】
また、本実施形態の装置は、矢印Ｆ１で示す方向に沿って搬送される各ＩＣラベルを所定検査位置において順次通信検査するための通信検査部として、この所定検査位置においてＩＣロールラベル１０の下方に所定の通信距離（たとえば１００ｍｍ）だけ離れて設けられたリーダー・ライター２を備えている。リーダー・ライター２は、ＲＦ−ＩＤメディアであるＩＣラベルに対して情報の読取りおよび情報の書込みを行う機能を有する。
【００１４】
また、本実施形態の装置は、図２（ａ）に詳細を示すように、順次通信検査されるＩＣラベル１２を所定検査位置においてほぼ平坦に保持するための保持部３を備えている。保持部３は、搬送方向に間隔を隔てて配置されてＩＣロールラベル１０の上側面に当接する一対の遊動ローラー３ａおよび３ｂと、この一対の遊動ローラー３ａおよび３ｂに対向した位置においてＩＣロールラベル１０の下側面に当接して支持するプレート状の支持部３ｃおよび３ｄとを有する。
【００１５】
ここで、一対の遊動ローラー３ａおよび３ｂは、図２（ｂ）に示すように、円筒形状の中空シャフト４に対してそれぞれ一体的に形成されている。そして、中空シャフト４は、その両端において円錐形状の先端部を有する軸受け部５ａおよび５ｂによって、回転自在に且つ鉛直方向に沿って微動可能に支持されている。換言すれば、一対の遊動ローラー３ａおよび３ｂは、鉛直方向に沿って微動可能に支持されている。なお、遊動ローラー３ａ、３ｂがＩＣチップに当接しないように、ローラーのＩＣチップと対向する部分に溝を形成することや、ローラーを複数に分割（シャフトにて連結）してＩＣチップとローラーとが当接しない構造にすることが好ましい。また、遊動ローラー３ａ、３ｂが自由微動する本実施形態の構造に限定されることなく、遊動ローラー３ａ、３ｂをＩＣロールラベル１０の搬送とともに回転させる方法や、遊動ローラー３ａ、３ｂを上下方向に調整可能に構成することも考えられる。
【００１６】
こうして、リーダー・ライター２に対向する所定検査位置において、軸受け部５ａおよび５ｂの軸線廻りに自由回転するとともに鉛直方向に沿って自由微動するように支持された一対の遊動ローラー３ａおよび３ｂと、一対の遊動ローラー３ａおよび３ｂに対向するように配置された一対のプレート状の支持部３ｃおよび３ｄとの間にＩＣロールラベル１０が挟まれ、所定検査位置においてＩＣラベル１２はほぼ平坦に保持される。
【００１７】
その結果、本実施形態では、所定検査位置においてほぼ平坦に保持されるＩＣロールラベル１０には一対の遊動ローラー３ａおよび３ｂの自重しか加わらないので、ＩＣチップやアンテナを損傷させることなく、所定方向に沿って搬送されるＩＣロールラベル１０の各ＩＣラベル１２を所望の通信距離で適正に通信検査することができる。ここで、一対の遊動ローラー３ａと３ｂとの間隔は、その間の所定検査位置においてＩＣラベル１２が十分に平坦に保持されるように、各ＩＣラベル１２の搬送方向に沿った長さに応じて適宜設定される。
【００１８】
なお、上述の実施形態では、ＩＣロールラベル１０の下方にリーダー・ライター２が設置されている。しかしながら、これに限定されることなく、ＩＣロールラベル１０の上方にリーダー・ライター２を設置することもできる。
【００１９】
【発明の効果】
以上説明したように、本発明の通信検査装置では、ＩＣチップやアンテナを損傷させることなく、所定方向に沿って搬送されるＩＣロールラベルの各ＩＣラベルを所定検査位置においてほぼ平坦に保持しつつ所望の通信距離で適正に通信検査することができる。
【図面の簡単な説明】
【図１】本発明の実施形態にかかる通信検査装置の全体構成を概略的に示す図である。
【図２】本実施形態にかかる通信検査装置の要部構成を概略的に示す図である。
【図３】本実施形態の処理対象であるＩＣロールラベルの構成を概略的に示す図である。
【図４】ＩＣロールラベルの通信検査に関する従来技術を説明する図である。
【符号の説明】
１  巻取りローラー（搬送部）
２  リーダー・ライター（通信検査部）
３  保持部
３ａ，３ｂ  遊動ローラー
３ｃ，３ｄ  支持部
４  中空シャフト
５ａ，５ｂ  軸受け部
１０  ＩＣロールラベル
１２  ＩＣラベル
【図１】
2004286566.tif 000003
【図２】
2004286566.tif 000004
【図３】
2004286566.tif 000005
【図４】
2004286566.tif 000006